【手続補正書】
【提出日】平成20年1月18日(2008.1.18)
【手続補正１】
【補正対象書類名】特許請求の範囲
【補正対象項目名】全文
【補正方法】変更
【補正の内容】
【特許請求の範囲】
【請求項１】
使用済回収製品の構成素材のうちの特定素材を対象として、該特定素材を再利用する製品の製造工程へ該特定素材のリサイクル材を提供する該特定素材のリサイクル工程の生産計画を作成するリサイクル材の生産計画の立案装置であって、
予め決められたリサイクル率αの下限値を記憶する第１の記憶手段と、
使用済回収製品の素材構成を記憶する第２の記憶手段と、
リサイクル材を再利用する製品の素材構成を記憶する第３の記憶手段と、
リサイクル材を再利用する製品でのリサイクル材利用率βの下限値を記憶する第４の記憶手段と、
該特定素材のリサイクル工程への予測供給量を記憶する第５の記憶手段と、
該製造工程での該リサイクル材を再利用する製品の生産計画を月毎の該特定素材のリサイクル材の使用量のデータで換算して記憶する第６の手段と、
該特定素材のリサイクル工程の生産計画を決定して計画記憶部に記憶する計算部と、
該計画記憶部に記憶した該特定素材のリサイクル工程の生産計画を出力する手段と
を備え、
該計算部は、
（１）該第１の記憶手段に記憶された該リサイクル率αの下限値、該第２の記憶手段に記憶された該使用済回収製品の素材構成、該第３の記憶手段に記憶された該リサイクル材を再利用する製品の素材構成及び該第４の記憶手段に記憶された該リサイクル材利用率βの下限値を用いて、該リサイクル率α，βの下限値を遵守するために、該特定素材のリサイクル材を再利用する製品が負担すべき素材使用の分担割合ηを計算し、
（２）該第５の記憶手段に記憶された該特定素材のリサイクル工程への予測供給量と、該特定素材のリサイクル材を再利用する製品が負担すべき素材使用の分担割合とより、該リサイクル材を再利用する製品が負担すべき素材の供給量ρを計算し、
（３）該第６の記憶手段に記憶された該リサイクル材を再利用する製品の生産計画より、該特定素材のリサイクル工程の月別の生産計画を、該リサイクル材を再利用する製品の生産計画をＮヶ月ずらした複数の生産計画案を作成し、
（４）該リサイクル工程の月別の各生産計画案に対して、各月の値が該リサイクル材を再利用する製品が負担すべき素材の供給量ρと、該リサイクル材を再利用する製品の生産計画との間に入っているかとの第１の条件の判定を行ない、
（５）該第１の条件を満たさない場合には、該特定素材のリサイクル工程前の各月の在庫と、該製造工程前の各月の在庫と、該リサイクル材を再利用する製品が負担すべき素材の供給量ρを該製造工程が直接処理する場合の中間在庫としての各月の在庫とを夫々計算し、該リサイクル工程前の各月の在庫と該製造工程前の各月の在庫との夫々が該中間在庫を越えていないかとの第２の条件の判定を行ない、
（６）該第１の条件または該第２の条件を満たす該特定素材のリサイクル工程の月別の生産計画案の中で、該リサイクル工程前の各月の在庫と該製造工程前の各月の在庫との合計が最も少ないものを最終的な該特定素材のリサイクル工程の生産計画として決定し、該計画記憶部に記憶する
ことを特徴とするリサイクル材の生産計画の立案装置。
【請求項２】
請求項１において、
前記リサイクル材を再利用する製品でのリサイクル材利用率βの上限値を記憶する第７の記憶手段を備え、
前記計算部が、さらに、
前記第１の条件または前記第２の条件を満たす前記特定素材のリサイクル工程の月別の生産計画において、Ｍ月の前記リサイクル材を再利用する製品の生産量が平均値よりも低い場合、及び前記特定素材のリサイクル工程のＭ月の生産量が前記リサイクル材を再利用する製品のＭ月の生産量よりも多い場合には、前記リサイクル材利用率βを該第７の記憶手段に記憶されている上限値に変更する
ことを特徴とするリサイクル材の生産計画の立案装置。
【請求項３】
請求項１または２において、
前記使用済回収製品の構成素材の中の前記特定素材がプラスチックであることを特徴とするリサイクル材の生産計画の立案装置。
【手続補正２】
【補正対象書類名】明細書
【補正対象項目名】発明の名称
【補正方法】変更
【補正の内容】
【発明の名称】リサイクル材の生産計画の立案装置
【手続補正３】
【補正対象書類名】明細書
【補正対象項目名】０００１
【補正方法】変更
【補正の内容】
【０００１】
本発明は、リサイクル材の生産計画及びリサイクル材を使用する製品の生産計画に係り、特に、回収した使用済み製品のリサイクル率の下限値が定められている場合のリサイクル材の生産計画及びリサイクル材を使用する製品の生産計画の立案装置に関する。
【手続補正４】
【補正対象書類名】明細書
【補正対象項目名】００１０
【補正方法】変更
【補正の内容】
【００１０】
本発明の目的は、かかる問題を解消し、再生側でリサイクル率を遵守しようとする際に発生する在庫を最小にするリサイクル材の生産計画とリサイクル材を使用する製品の生産計画の立案装置を提供することにある。
【手続補正５】
【補正対象書類名】明細書
【補正対象項目名】００１１
【補正方法】変更
【補正の内容】
【００１１】
上記目的を達成するために、本発明は、使用済回収製品の構成素材のうちの特定素材を対象として、特定素材を再利用する製品の製造工程へ特定素材のリサイクル材を提供する特定素材のリサイクル工程の生産計画を作成するリサイクル材の生産計画の立案装置であって、予め決められたリサイクル率αの下限値を記憶する第１の記憶手段と、使用済回収製品の素材構成を記憶する第２の記憶手段と、リサイクル材を再利用する製品の素材構成を記憶する第３の記憶手段と、リサイクル材を再利用する製品でのリサイクル材利用率βの下限値を記憶する第４の記憶手段と、特定素材のリサイクル工程への予測供給量を記憶する第５の記憶手段と、製造工程でのリサイクル材を再利用する製品の生産計画を月毎の特定素材のリサイクル材の使用量のデータで換算して記憶する第６の手段と、特定素材のリサイクル工程の生産計画を決定して計画記憶部に記憶する計算部と、計画記憶部に記憶した特定素材のリサイクル工程の生産計画を出力する手段とを備え、計算部は、（１）第１の記憶手段に記憶されたリサイクル率αの下限値、第２の記憶手段に記憶された使用済回収製品の素材構成、第３の記憶手段に記憶されたリサイクル材を再利用する製品の素材構成及び第４の記憶手段に記憶されたリサイクル材利用率βの下限値を用いて、リサイクル率α，βの下限値を遵守するために、特定素材のリサイクル材を再利用する製品が負担すべき素材使用の分担割合ηを計算し、（２）第５の記憶手段に記憶された特定素材のリサイクル工程への予測供給量と、特定素材のリサイクル材を再利用する製品が負担すべき素材使用の分担割合より、リサイクル材を再利用する製品が負担すべき素材の供給量ρを計算し、（３）第６の記憶手段に記憶されたリサイクル材を再利用する製品の生産計画より、特定素材のリサイクル工程の月別の生産計画を、リサイクル材を再利用する製品の生産計画をＮヶ月ずらした複数の生産計画案を作成し、（４）リサイクル工程の月別の各生産計画案に対して、各月の値がリサイクル材を再利用する製品が負担すべき素材の供給量ρと、リサイクル材を再利用する製品の生産計画との間に入っているかとの第１の条件の判定を行ない、（５）第１の条件を満たさない場合には、特定素材のリサイクル工程前の各月の在庫と、製造工程前の各月の在庫と、リサイクル材を再利用する製品が負担すべき素材の供給量ρを製造工程が直接処理する場合の中間在庫としての各月の在庫とを夫々計算し、リサイクル工程前の各月の在庫と製造工程前の各月の在庫との夫々が中間在庫を越えていないかとの第２の条件の判定を行ない、（６）第１の条件または第２の条件を満たす特定素材のリサイクル工程の月別の生産計画案の中で、リサイクル工程前の各月の在庫と製造工程前の各月の在庫との合計が最も少ないものを最終的な特定素材のリサイクル工程の生産計画として決定して、計画記憶部に記憶することを特徴とするものである。
【手続補正６】
【補正対象書類名】明細書
【補正対象項目名】００１２
【補正方法】変更
【補正の内容】
【００１２】
また、リサイクル材を再利用する製品でのリサイクル材利用率βの上限値を記憶する第７の記憶手段を備え、計算部が、さらに、第１の条件または第２の条件を満たす特定素材のリサイクル工程の月別の生産計画において、Ｍ月のリサイクル材を再利用する製品の生産量が平均値よりも低い場合、及び特定素材のリサイクル工程のＭ月の生産量がリサイクル材を再利用する製品のＭ月の生産量よりも多い場合には、リサイクル材利用率βを該第７の記憶手段に記憶されている上限値に変更することを特徴とするものである。
【手続補正７】
【補正対象書類名】明細書
【補正対象項目名】００１３
【補正方法】変更
【補正の内容】
【００１３】
また、使用済回収製品の構成素材の中の特定素材がプラスチックであることを特徴とするものである。
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００６７
【補正方法】変更
【補正の内容】
【００６７】
次に、リサイクル工程６での月別リサイクル材生産量２６を製造工程１での月別製品生産量２１に合わせた図１３におけるリサイクル工程６の月別リサイクル材生産量２６を、全体として、図１５に示すように、製造工程１の月別製品生産量２１より２ヶ月後ろにずらして、６月から９月までの間で増産してピークとし、４,５月と１０月〜３月のリサイクル材の生産量が少なくなるようにする。このように、リサイクル工程６の月別リサイクル材生産量２６のピークを後ろに２ヶ月ずらすのは、このピークを回収・分解工程４／５の月別分解処理量２４／２５のピークに合わせるためである。
【手続補正１５】
【補正対象書類名】明細書
【補正対象項目名】０１１６
【補正方法】変更
【補正の内容】
【０１１６】
ステップＳ６０５では、変数Ｎが終了月（先の各例では、３月）を表わすか否かを確認する。終了月でない場合には、変数Ｎを１だけインクリメントし（ステップＳ６０６）、ステップＳ６０２に戻り、次の月についてステップＳ６０２からの上記処理を繰り返す。そして、変数Ｎが終了月になるまでこれを繰り返し、終了月になると、月毎のリサイクル材利用率βが決まり、リサイクル材利用率βの変更計画が得られることになる。
【手続補正１６】
【補正対象書類名】図面
【補正対象項目名】図３５
【補正方法】変更
【補正の内容】
【図３５】
2006309440.tif 000001